(57)【要約】  【課題】  レンズホルダを揺動可能に支持する各金属線に振動減衰作用を与えるゲル材の充填量の安定化を図り、性能の低下やばらつきの抑止が可能な光ピックアップアクチュエータを提供する。  【解決手段】  ゲルホルダ９における各貫通孔１２ａ〜１２ｆの内周面に螺旋状の溝１３ａ〜１３ｆが形成されている。各貫通孔１２ａ〜１２ｆ内にはゲル材が充填されており、基台１に対してレンズホルダ２を揺動可能に支持する各金属線１１ａ〜１１ｆが挿通されている。【選択図】      図５
0003110013.tif 000002
【実用新案登録請求の範囲】
【請求項１】
対物レンズを保持するとともにフォーカス用コイル、トラッキング用コイル及びチルト
用コイルを備えたレンズホルダと、永久磁石及びヨークを備えた基台上に立設された基板
と、各々の一端が前記基板に接続されるとともに各々の他端が前記フォーカス用コイル、
トラッキング用コイル又はチルト用コイルに接続されて各々が前記レンズホルダに接合さ
れ、前記基台に対して前記レンズホルダを揺動可能に支持する複数本の金属線と、これら
の各金属線が挿通されつつゲル材が充填された貫通孔を有し、前記基板に隣接して前記基
台上に固定されたゲルホルダと、を含む光ピックアップアクチュエータにおいて、
前記ゲルホルダがポリカーボネイトを材質とする樹脂成型品であって、前記ゲルホルダ
における前記各貫通孔の内周面に螺旋状で三角ねじ状の溝が形成されており、前記貫通孔
及び前記溝が前記ゲルホルダと一体成型されて成ることを特徴とする光ピックアップアク
チュエータ。
【請求項２】
対物レンズを保持するとともにフォーカス用コイル及びトラッキング用コイルを備えた
レンズホルダと、永久磁石を備えた基台上に立設された基板と、各々の一端が前記基板に
接続されるとともに各々の他端が前記フォーカス用コイル又はトラッキング用コイルに接
続されて各々が前記レンズホルダに接合され、前記基台に対して前記レンズホルダを揺動
可能に支持する複数本の金属線と、これらの各金属線が挿通されつつゲル材が充填された
貫通孔を有し、前記基板に隣接して前記基台上に固定されたゲルホルダと、を含む光ピッ
クアップアクチュエータにおいて、
前記ゲルホルダにおける前記各貫通孔の内周面に螺旋状の溝が形成されていることを特
徴とする光ピックアップアクチュエータ。
【請求項３】
前記溝が三角ねじ状であることを特徴とする請求項２に記載の光ピックアップアクチュ
エータ。
【請求項４】
前記溝が台形ねじ状であることを特徴とする請求項２に記載の光ピックアップアクチュ
エータ。
【請求項５】
前記ゲルホルダが樹脂成型品であって、前記貫通孔及び前記溝が前記ゲルホルダと一体
成型されて成ることを特徴とする請求項２から４のいずれかに記載の光ピックアップアク
チュエータ。
【請求項６】
前記ゲルホルダの材質がポリカーボネイトであることを特徴とする請求項５に記載の光
ピックアップアクチュエータ。
【考案の詳細な説明】
【技術分野】
【０００１】
本考案は、情報記録媒体であるＣＤやＤＶＤ等の光ディスクに対して情報の再生や記録
を行うための光ピックアップ装置に搭載される光ピックアップアクチュエータに関する。
【背景技術】
【０００２】
光ピックアップ装置では、半導体レーザーから出射されたレーザー光を対物レンズを通
じて光ディスクの記録面上に高精度に集光させることが要求されるため、これを実現する
構成として光ピックアップアクチュエータ（以下、単に「アクチュエータ」と記すことが
ある）が不可欠である。
【０００３】
アクチュエータとしては、対物レンズを保持したレンズホルダが複数本の金属線によっ
て基台に対して揺動可能に支持されたものがある（例えば、特開２００２−３２９２６号
公報、特開２００２−３５２４５１号公報参照）。このアクチュエータでは、一般に、レ
ンズホルダにフォーカス用コイル及びトラッキング用コイルを備え、基台上に永久磁石を
備える。基台上には基板が立設されていて、上記の各金属線の一端が基板に接続されると
ともに、各金属線の他端がフォーカス用コイル又はトラッキング用コイルに接続されてい
る。更にそれらの各金属線は、接着剤等でレンズホルダに接合されている。このようなア
クチュエータでは、各金属線を通じてフォーカス用コイルやトラッキング用コイルに電流
が供給され、これにより、永久磁石との間での電磁気的な作用でレンズホルダが駆動して
微動し、対物レンズへのフォーカス調整やトラッキング調整が行われる。
【０００４】
なお、対物レンズへのチルト調整も行えるように、レンズホルダに更にチルト用コイル
を備えたものもある。このチルト用コイルにも、上記と同様の金属線が接続される。また
、レンズホルダの駆動効率をより高める観点から、永久磁石からの磁束をフォーカス用コ
イルやトラッキング用コイルやチルト用コイルに有効に引き込んで高密度の磁束を与える
ために、基台上に強磁性体のヨークを備えたものもある。
【０００５】
ここで、各金属線にはレンズホルダの駆動に応じて振動が生じるため、これを抑制する
工夫が施されている。その工夫として、図８及び図９に示すように、不図示のフォーカス
用コイル、トラッキング用コイル、チルト用コイルと、基板とに接続されてレンズホルダ
を揺動可能に支持する６本の金属線１１１がそれぞれ挿通される貫通孔１１２を有する樹
脂成型品のゲルホルダ１０９が、不図示の基台上に固定されており、そのゲルホルダ１０
９の各貫通孔１１２内には、シリコンを主成分とするゲル材が充填されている。ここでの
ゲル材は、ゲルホルダ１０９の各貫通孔１１２に注入された後、所定時間の紫外線照射に
よってゲル状に硬化したものである。このような構成にすると、各金属線１１１に生じた
振動は、ゲルホルダ１０９における各貫通孔１１２内のゲル材によって減衰し、抑制され
る。
【考案の開示】
【考案が解決しようとする課題】
【０００６】
ところで、各金属線１１１に振動減衰作用を与えるゲル材の特性としては、粘度の低い
ほうがよい。ゲル材の粘度が高いと、各金属線１１１を必要以上に拘束してしまい、駆動
するレンズホルダの姿勢に悪影響するからである。
【０００７】
しかし、低粘度のゲル材を採用する場合、硬化前のゲル材（ゾル）は当然粘度も低く流
動性が高いことから、ゲルホルダ１０９の各貫通孔１１２への注入後、硬化前に、各貫通
孔１１２から不用意に流出してしまう事態が起こる。そうすると、必然的に各貫通孔１１
２内のゲル材の充填量が減少するし、貫通孔１１２ごとにゲル材の充填量がばらつくため
、各金属線１１１への振動減衰作用に低下やばらつきが生じ、その結果、アクチュエータ
の性能が低下したり、アクチュエータごとに性能がばらついたりするという問題がつなが
る。
【０００８】
そこで本考案は、上記の問題に鑑みてなされたものであり、レンズホルダを揺動可能に
支持する各金属線に振動減衰作用を与えるゲル材の充填量の安定化を図り、性能の低下や
ばらつきの抑止が可能な光ピックアップアクチュエータを提供することを目的とするもの
である。
【課題を解決するための手段】
【０００９】
上記目的を達成するため、本考案による光ピックアップアクチュエータは、対物レンズ
を保持するとともにフォーカス用コイル、トラッキング用コイル及びチルト用コイルを備
えたレンズホルダと、永久磁石及びヨークを備えた基台上に立設された基板と、各々の一
端が前記基板に接続されるとともに各々の他端が前記フォーカス用コイル、トラッキング
用コイル又はチルト用コイルに接続されて各々が前記レンズホルダに接合され、前記基台
に対して前記レンズホルダを揺動可能に支持する複数本の金属線と、これらの各金属線が
挿通されつつゲル材が充填された貫通孔を有し、前記基板に隣接して前記基台上に固定さ
れたゲルホルダと、を含む光ピックアップアクチュエータにおいて、前記ゲルホルダがポ
リカーボネイトを材質とする樹脂成型品であって、前記ゲルホルダにおける前記各貫通孔
の内周面に螺旋状で三角ねじ状の溝が形成されており、前記貫通孔及び前記溝が前記ゲル
ホルダと一体成型されて成る。
【００１０】
このような構成にすると、流動性が高いゲル材をゲルホルダの各貫通孔に適量注入した
後、硬化前であっても、各貫通孔の内周面に形成された螺旋状の溝によって流動抵抗が生
じるため、各貫通孔からの硬化前のゲル材の流出を防止できる。従って、各貫通孔内のゲ
ル材は、注入した適量に確保された状態で硬化でき、その充填量が安定することになる。
しかも、各貫通孔の内周面に形成する溝が三角ねじ状であることから、形成が容易である
。また、ゲルホルダが実用性の高いポリカーボネイトであって、各貫通孔と共にそれらの
内周面の溝がゲルホルダと一体成型されるため、そのゲルホルダを安価に得ることが可能
になる。
【００１１】
また、上記目的を達成するための本考案による光ピックアップアクチュエータは、対物
レンズを保持するとともにフォーカス用コイル及びトラッキング用コイルを備えたレンズ
ホルダと、永久磁石を備えた基台上に立設された基板と、各々の一端が前記基板に接続さ
れるとともに各々の他端が前記フォーカス用コイル又はトラッキング用コイルに接続され
て各々が前記レンズホルダに接合され、前記基台に対して前記レンズホルダを揺動可能に
支持する複数本の金属線と、これらの各金属線が挿通されつつゲル材が充填された貫通孔
を有し、前記基板に隣接して前記基台上に固定されたゲルホルダと、を含む光ピックアッ
プアクチュエータにおいて、前記ゲルホルダにおける前記各貫通孔の内周面に螺旋状の溝
が形成されている。
【００１２】
このような構成にすると、流動性が高いゲル材をゲルホルダの各貫通孔に適量注入した
後、硬化前であっても、各貫通孔の内周面に形成された螺旋状の溝によって流動抵抗が生
じるため、各貫通孔からの硬化前のゲル材の流出を防止できる。従って、各貫通孔内のゲ
ル材は、注入した適量に確保された状態で硬化でき、その充填量が安定することになる。
【００１３】
ここで、各貫通孔の内周面に形成する溝の形成容易性を踏まえると、前記溝が三角ねじ
状であるとよい。前記溝が台形ねじ状であってもよい。
【００１４】
また、各貫通孔と共にそれらの内周面に溝を有するゲルホルダを安価に得る目的で、前
記ゲルホルダが樹脂成型品であって、前記貫通孔及び前記溝が前記ゲルホルダと一体成型
されるとよい。この場合、実用的には、前記ゲルホルダの材質がポリカーボネイトである
ことが好ましい。
【考案の効果】
【００１５】
本考案の光ピックアップアクチュエータによれば、ゲルホルダにおける各貫通孔内のゲ
ル材の充填量が適量に安定するため、そのゲル材による各金属線の振動減衰作用が低下し
たりばらついたりすることはない。従って、アクチュエータの性能の低下やばらつきを抑
止でき、優れたものとなる。
【考案を実施するための最良の形態】
【００１６】
以下に、本考案の光ピックアップアクチュエータの一実施形態について図面を参照しな
がら詳述する。図１はアクチュエータの外観を示す上面図、図２はそのアクチュエータの
側面図、図３は図２のＡ−Ａ断面図、図４は図２のＢ−Ｂ断面図、図５はそのアクチュエ
ータにおけるゲルホルダの側面視での断面図、図６はそのゲルホルダの正面図である。な
お、これらの図中、同じ名称で同じ機能を果たす部分には同一の符号を付している。
【００１７】
本実施形態でのアクチュエータは、大きくは、強磁性を有する基台１と、レンズホルダ
２と、より構成される。
【００１８】
基台１は、光ピックアップ装置における半導体レーザーや光学系や光検出器等が装着さ
れた可動部材（不図示）に固定されるものであって、そのほぼ中央に、半導体レーザーか
らのレーザー光を通過させる貫通孔（不図示）が形成され、詳細は後述するレンズホルダ
２が配置される。また、基台１上には、レンズホルダ２を挟むように所定間隔をあけて相
互に対向する一対の永久磁石３ａ、３ｂが立設されている。これらの各永久磁石３ａ、３
ｂは、各々の外面が基台１から折曲形成された突片１ａ、１ｂに磁着されることで、基台
１と磁性的に一体化される。
【００１９】
更に基台１には、永久磁石３ａ、３ｂ同士の間に、これらの永久磁石３ａ、３ｂの対向
方向と直角な方向で対向する一対のヨーク４ａ、４ｂが立設されている。これらの各ヨー
ク４ａ、４ｂは、基台１から折曲形成されて成り、強磁性を有する磁性体となる。ここで
、各ヨーク４ａ、４ｂは、各永久磁石４ａ、４ｂからの磁束を有効に引き込んで、主とし
て、両者の間に配置される後述のフォーカス用コイル６やトラッキング用コイル７ａ、７
ｂやチルト用コイル８ａ、８ｂに高密度の磁束を与え、これにより、レンズホルダ２の駆
動効率を高める役割を果たすものである。
【００２０】
続いて、レンズホルダ２は、樹脂成型品であって、その上面の中央部に対物レンズ５が
保持され、この対物レンズ５を挟んで左右にヨーク４ａ、４ｂが貫通している。このレン
ズホルダ２の側壁の内側には、対物レンズ５の光軸を取り巻くようにフォーカス用コイル
６が挿入され、レンズホルダ２に対し接着剤等で固着されている。また、レンズホルダ２
の側壁のうちの各永久磁石４ａ、４ｂと対向する側壁の両外側には、それぞれトラッキン
グ用コイル７ａ、７ｂが接着剤等で固着されている。これらの各トラッキング用コイル７
ａ、７ｂは、それぞれヨーク４ａ、４ｂと対向するように左右に一対より成り、全体とし
て１つの線でつながっている。また、レンズホルダ２の下面には、各ヨーク４ａ、４ｂを
それぞれ取り巻くようにチルト用コイル８ａ、８ｂが接着剤等で固着されている。これら
の各チルト用コイル８ａ、８ｂも、全体として１つの線でつながっている。
【００２１】
また、基台１上には、永久磁石３ｂが磁着された突片１ｂの外面側に、樹脂成型品のゲ
ルホルダ９が固定され、更にそのゲルホルダ９の外側に隣接して基板１０が立設されてい
る。この基板１０には、左右両側近傍においてそれぞれに上下方向で３個所ずつ、導電性
を有する金属線１１ａ、１１ｂ、１１ｃ、１１ｄ、１１ｅ、１１ｆの各一端がはんだにて
接続されている。これら６本の各金属線１１ａ、１１ｂ、１１ｃ、１１ｄ、１１ｅ、１１
ｆは、基板１０への接続個所に対応した位置、すなわち左右両側においてそれぞれに３個
所ずつでゲルホルダ９に形成された各貫通孔１２ａ、１２ｂ、１２ｃ、１２ｄ、１２ｅ、
１２ｆを挿通している。更に、各金属線１１ａ、１１ｂ、１１ｃ、１１ｄ、１１ｅ、１１
ｆは、レンズホルダ２の左右両側から突出する突条２ａ、２ｂに接着剤等で接合され、こ
れにより、レンズホルダ２は各金属線１１ａ、１１ｂ、１１ｃ、１１ｄ、１１ｅ、１１ｆ
によって基台１に対して揺動可能に支持される。そして、上段の各金属線１１ａ、１１ｄ
の他端はフォーカス用コイル６にはんだにて接続され、中段の各金属線１１ｂ、１１ｅの
他端はトラッキング用コイル７ａ、７ｂにはんだにて接続され、下段の各金属線１１ｃ、
１１ｆの他端はチルト用コイル８ａ、８ｂにはんだにて接続されている。
【００２２】
ここで、図５及び図６に示すように、ゲルホルダ９において、各金属線１１ａ、１１ｂ
、１１ｃ、１１ｄ、１１ｅ、１１ｆが挿通される各貫通孔１２ａ、１２ｂ、１２ｃ、１２
ｄ、１２ｅ、１２ｆの内周面には、螺旋状の溝１３ａ、１３ｂ、１３ｃ、１３ｄ、１３ｅ
、１３ｆが形成されている。これらの各溝１３ａ〜１３ｆは三角ねじ状であるとよい。形
成が容易だからである。なお、図７に示すように、各溝１３ａ〜１３ｆが台形ねじ状であ
ってもよい。
【００２３】
また、ここでの各貫通孔１２ａ〜１２ｆ、及びそれらの内周面の各溝１３ａ〜１３ｆは
、ゲルホルダ９の成型の際に一体成型される。従って、安価に得ることができる。また、
実用性を踏まえると、ゲルホルダ９の材質はポリカーボネイトであることが好ましい。
【００２４】
このようなゲルホルダ９の各貫通孔１２ａ〜１２ｆ内には、シリコンを主成分とするゲ
ル材が充填されている。その充填は、低粘度で流動性の高い硬化前のゲル材（ゾル）を各
貫通孔１２ａ〜１２ｆに適量注入した後、所定時間の紫外線照射を施すことでなされる。
これにより、ゲル材が各貫通孔１２ａ〜１２ｆ内でゲル状に硬化して充填されることにな
る。その際、各貫通孔１２ａ〜１２ｆ内でのゲル材が硬化する前であっても、各貫通孔１
２ａ〜１２ｆの内周面に形成された螺旋状の溝１３ａ〜１３ｆによって流動抵抗が生じる
ため、各貫通孔１２ａ〜１２ｆからの硬化前のゲル材の流出を防止できる。従って、各貫
通孔１２ａ〜１２ｆ内のゲル材は、注入した適量に確保された状態で硬化でき、その充填
量が安定することになる。
【００２５】
このような構成のアクチュエータでは、各金属線１１ａ〜１１ｆを通じてフォーカス用
コイル６やトラッキング用コイル７ａ、７ｂやチルト用コイル８ａ、８ｂに電流が供給さ
れ、これにより、永久磁石との間での電磁気的な作用でレンズホルダ２が駆動して微動し
、対物レンズ５へのフォーカス調整やトラッキング調整やチルト調整が行われる。その際
、各金属線１１ａ〜１１ｆにはレンズホルダ２の駆動に応じて振動が生じるが、その振動
は、ゲルホルダ９における各貫通孔１２ａ〜１２ｆ内のゲル材によって減衰し、抑制され
る。
【００２６】
そして、本実施形態でのアクチュエータによれば、ゲルホルダ９における各貫通孔１２
ａ〜１２ｆ内のゲル材の充填量が適量に安定するため、そのゲル材による各金属線１１ａ
〜１１ｆの振動減衰作用が低下したりばらついたりすることはない。従って、アクチュエ
ータの性能の低下やばらつきを抑止でき、優れたものとなる。
【００２７】
その他本考案は上記の各実施形態に限定されず、本考案の趣旨を逸脱しない範囲で、種
々の変更が可能である。
【産業上の利用可能性】
【００２８】
本考案は、光ピックアップ装置に搭載される光ピックアップアクチュエータに有用であ
る。
【図面の簡単な説明】
【００２９】
【図１】本考案の光ピックアップアクチュエータの外観を示す上面図である。
【図２】本考案の光ピックアップアクチュエータの側面図である。
【図３】図２のＡ−Ａ断面図である。
【図４】図２のＢ−Ｂ断面図である。
【図５】本考案の光ピックアップアクチュエータにおけるゲルホルダの側面視での断面図である。
【図６】本考案の光ピックアップアクチュエータにおけるゲルホルダの正面図である。
【図７】本考案の光ピックアップアクチュエータにおけるゲルホルダの別例を示す側面視での断面図である。
【図８】従来の光ピックアップアクチュエータにおけるゲルホルダの側面視での断面図である。
【図９】従来の光ピックアップアクチュエータにおけるゲルホルダの正面図である。
【符号の説明】
【００３０】
１    基台
２    レンズホルダ
３ａ、３ｂ    永久磁石
４ａ、４ｂ    ヨーク
５    対物レンズ
６    フォーカス用コイル
７ａ、７ｂ    トラッキング用コイル
８ａ、８ｂ    チルト用コイル
９    ゲルホルダ
１０    基板
１１ａ、１１ｂ、１１ｃ、１１ｄ、１１ｅ、１１ｆ    金属線
１２ａ、１２ｂ、１２ｃ、１２ｄ、１２ｅ、１２ｆ    貫通孔
１３ａ、１３ｂ、１３ｃ、１３ｄ、１３ｅ、１３ｆ    溝
【図１】
0003110013.tif 000003
【図２】
0003110013.tif 000004
【図３】
0003110013.tif 000005
【図４】
0003110013.tif 000006
【図５】
0003110013.tif 000007
【図６】
0003110013.tif 000008
【図７】
0003110013.tif 000009
【図８】
0003110013.tif 000010
【図９】
0003110013.tif 000011